(57)【要約】【課題】車の後部座席に座っている１又は複数の観視者への画面からの反射光に対して視認性を向上させることができる表示装置を提供すること。【解決手段】表示装置１００は、車両の車室内に設置され、映像を表示画面に表示する表示パネル１１０と、着座センサ３０１，３０２からなり検出した観視者位置情報を出力する観視者位置受信部５２０と、受光センサ１１１〜１１４から各観視者に対する画面からの反射光の量を示すセンサ値を出力する観視者用外光受信部５４０〜５６０と、映り込み画質補正処理に関するセンサ値と画素位置とゲイン補正係数のテーブル及びその他の各種情報を格納する記憶部５１０とを備え、制御部５００は、各受信部５２０〜５６０からの読出情報及び信号処理部５７０，５８０からの映像特徴量情報（輝度）Ｉｃ１，Ｉｃ２を基に、記憶部５１０の情報を参照してディスプレイ位置による映り込みに応じて画質を補正する。【選択図】図５
2007292810.tif 000002
【特許請求の範囲】
【請求項１】
画像を表示画面に表示する表示手段と、
前記表示画面と観視者の相対位置を読み出す観視者位置読出手段と、
前記観視者に対する外光の反射光を検出する映込み検出手段と、
前記映り込み情報に基づいて前記表示手段の画質を補正する画質補正手段と
を備えることを特徴とする表示装置。
【請求項２】
前記表示画面は、複数画面であり、
前記観視者位置読出手段は、前記複数画面のうち少なくともいずれか１つの画面と観視者の相対位置を読み出すことを特徴とする請求項１記載の表示装置。
【請求項３】
前記観視者位置読出手段は、前記表示画面の画像を観視する複数の観視者の位置を読み出し、
前記映込み検出手段は、前記複数の観視者に対する外光の映り込みを検出することを特徴とする請求項１に記載の表示装置。
【請求項４】
前記画質補正手段は、コントラスト、ブライト、カラー、色相、カラーゲイン、シャープネス又はガンマのうち、少なくともいずれか１つの画質調整パラメータを補正することを特徴とする請求項１記載の表示装置。
【請求項５】
少なくとも１つの画像を画面に表示する表示手段と、
前記画面の代表位置から複数の観視位置への反射光の量を個別的に検出する光検出手段と、
前記表示手段の画面毎に、前記複数の観視位置のいずれかが設定される設定記憶情報を格納する記憶手段と、
前記光検出手段により検出された複数の検出値から、前記記憶手段の設定記憶情報に基づいて所定のものを選択し、選択した検出値に基づいて、前記表示手段の画面に表示される画像の画質を補正する補正手段と
を備えることを特徴とする表示装置。
【発明の詳細な説明】
【技術分野】
【０００１】
本発明は、複数の画像（映像を含む）を表示可能な表示装置に関し、特に、車両の車室内で画像を表示する表示装置に関する。
【背景技術】
【０００２】
近年、デジタル技術及び通信技術の進歩に伴い、車載用の電子機器も多種多様なものが開発されている。特に、ナビゲーションシステム、ＤＶＤ（Digital Versatile Disk）プレーヤ及びテレビ受信機のように、ＬＣＤ等の表示器を利用して、ＣＤ−ＲＯＭやＤＶＤ等の記録媒体に記録された画像又はテレビジョン放送の画像等を表示できる表示装置が広く普及してきている。
【０００３】
また、最近では車両の高級化や大型化に伴って、２つのディスプレイ装置が接続された車載用装置もある。例えば、一方のディスプレイ装置を運転席と助手席の間に設置し、他方のディスプレイ装置を後部座席の前方に設置することにより、運転者や助手席の搭乗者のみならず、後部座席の搭乗者もディスプレイ装置に表示された各種の情報を見ることができるようになっている。このようなディスプレイ装置に太陽光などが照射されている場合には、反射光によって視認性が著しく悪化する。
【０００４】
そこで、例えば、特許文献１には、ディスプレイの明るさを自動で制御する表示装置が開示されている。特許文献１記載の表示装置は、ディスプレイの近傍に周辺光の照度を検出する光センサを設け、この光センサにより検出された照度に基づいてディスプレイの輝度を変化させる。昼間の明るい太陽光の下ではディスプレイの輝度を増加させ、夜間においてはディスプレイの輝度を減少させる。
【特許文献１】特表２００１−５２２０５８号公報
【発明の開示】
【発明が解決しようとする課題】
【０００５】
このような従来の車載用の表示装置にあっては、以下に述べる理由で太陽光などの照射による反射光に対して依然として視認性が悪いという問題があった。
【０００６】
図１６は、車両の車室内で複数の画像を表示可能な表示装置の表示例を説明する図である。
【０００７】
図１６（ａ）において、１０は車両の車室内に設置された後部座席用の表示装置、２０は表示装置１０の表示画面を観視する観視者Ａ，Ｂが着座する後部座席シートである。また、観視者Ａは左座席に着座する観視者、観視者Ｂは右座席に着座する観視者である。表示装置１０は、２画面表示可能であり、左座席の観視者Ａの正面モニタ画面には画面１が、右座席の観視者Ｂの正面モニタ画面には画面２が表示されている。
【０００８】
図１６（ｂ）に示すように、表示装置１０に太陽からの直射光が当たると、直射光はモニタ画面で反射されて観視者Ａ，Ｂの視野に入り、モニタ画面からの反射光により観視者Ａ，Ｂは画面が見えにくくなる。モニタ画面からの反射光は、太陽とモニタ画面と観視者の位置により影響が異なる。図１６（ｂ）の場合は、観視者Ａは反射光の影響を殆ど受けないのでモニタ画面の画面１及び画面２は良好に観視できる。しかし観視者Ｂは反射光の影響を受け、特にモニタ画面の画面１には太陽からの直射光が反射して非常に見ずらい。このように、観視者の位置によってモニタ画面からの反射光のために見えにくくなる。
【０００９】
そこで、上記特許文献１記載の装置のように、ディスプレイの近傍に周辺光の照度を検出する外光センサを設け、この外光センサにより検出された照度に基づいてディスプレイの輝度を変化させるものがある。
【００１０】
図１７は、外光センサにより照度を変化させる表示装置の表示例を説明する図である。図１６と同一構成部分には同一符号を付している。図１７において、表示装置１０のモニタ画面の正面に外光センサ３０を設置する。外光センサ３０は、外部から照射される太陽光などの外光の強さを検知する受光素子などからなる。表示装置１０は、外光センサ３０により検出された周囲の明るさに応じて、ディスプレイ全体の照度を変えて外光の影響を少なくする。表示装置１０がＬＣＤディスプレイにより構成される場合は、照度の変更はＬＣＤパネルの背面に配置されたバックライトの輝度により調整する。
【００１１】
ところが、１つの外光センサにより検出された周囲の明るさに応じて、ディスプレイ全体の照度を調整する構成であったため、横広の表示装置に対して観視者Ａ，Ｂが並んで観視する場合、画面下部中央に設置された１つの外光センサによるディスプレイ全体の補正では、モニタ画面を観視するどちらの観視者Ａ，Ｂにとっても最適な照度とはならない。例えば、右座席に観視者Ｂは乗車しておらず、左座席に観視者Ａのみが観視している場合、図１７に示すように観視者Ａにとってはモニタ画面からの反射光の影響がない。この場合には観視者Ａにとっては、そのままの明るさで観視していたいにも拘らず、外光センサによるディスプレイ全体の照度変更により明るさが過度に明るく調整される。これとは逆に、左座席に観視者Ａは乗車しておらず、右座席の観視者Ｂのみが観視している場合、観視者Ｂは反射光の影響を強く受ける。この場合には観視者Ｂにとっては、もっと明るく調整してほしいにも拘らず、ディスプレイ全体の照度変更により明るさの調整は不十分となる。
【００１２】
このように、従来の車載用の表示装置では、２画面を表示可能であること、観視者が横並びで複数人着座すること、さらには、観視者が極めて近い位置から画面を観視するという、特有の使用形態を考慮しておらず、外光センサによるディスプレイ全体の一律な輝度調整しか行っていたかったため、太陽光などのモニタ画面からの反射光に対して十分な視認性向上効果が得られないという問題がある。
【００１３】
本発明は、かかる点に鑑みてなされたものであり、車の後部座席に座っている１又は複数の観視者への画面からの反射光に対して視認性を向上させることができる表示装置を提供することを目的とする。
【課題を解決するための手段】
【００１４】
本発明の表示装置は、画像を表示画面に表示する表示手段と、前記表示画面と観視者の相対位置を読み出す観視者位置読出手段と、前記観視者に対する外光の反射光を検出する映込み検出手段と、前記映り込み情報に基づいて前記表示手段の画質を補正する画質補正手段とを備える構成を採る。
【００１５】
また、本発明の別の態様に係る表示装置は、少なくとも１つの画像を画面に表示する表示手段と、前記画面の代表位置から複数の観視位置への反射光の量を個別的に検出する光検出手段と、前記表示手段の画面毎に、前記複数の観視位置のいずれかが設定される設定記憶情報を格納する記憶手段と、前記光検出手段により検出された複数の検出値から、前記記憶手段の設定記憶情報に基づいて所定のものを選択し、選択した検出値に基づいて、前記表示手段の画面に表示される画像の画質を補正する補正手段とを備える構成を採る。
【発明の効果】
【００１６】
本発明によれば、車載用途、特に、２画面を表示可能であること、観視者が横並びで複数人着座すること、さらには、観視者が極めて近い位置から画面を観視するという、特有の車載用の表示装置において、各観視者への画面からの反射光の影響を低減し、視認性を向上させることができる。
【発明を実施するための最良の形態】
【００１７】
以下、本発明の実施の形態について図面を参照して詳細に説明する。
【００１８】
図１は、本発明の一実施の形態に係る表示装置の外観構成を示す正面図、図２は、車両の後部に設置された表示装置を上方から見た模式図である。本実施の形態は複数の画像を表示可能な表示装置として車両の後部座席用の表示装置に適用した例である。
【００１９】
図１及び図２において、１００は車両の車室内に設置された後部座席用の表示装置、２００は表示装置１００の表示画面を観視する観視者Ａ，Ｂが着座する後部座席、３０１，３０２は後部座席２００内に設置され、観視者Ａ，Ｂの着座状態を検出する着座センサである。
【００２０】
表示装置１００は、大型横長のＬＣＤパネル等から構成され、後方後部座席２００に着座した観視者Ａ，Ｂが目視できる箇所に設置される。後部座席に座った人も画像を楽しめる設置箇所として、例えば車室内の天井部の中央付近に固定して取付けられる。表示装置１００は、通常の表示装置では使用例がないような超ワイドＬＣＤディスプレイにより構成される。図１中の数値はその実寸例であり単位はｍｍである。ＬＣＤパネルを大型化すれば、後部座席に座った人にとってはより画像が観視しやすくなることは言うまでもないが、運転者からみて後方視界を遮るようなことがあってはならずその解決策の一つとして車載用の超ワイドＬＣＤディスプレイを今回新たに開発し採用している。また、ワイドＬＣＤディスプレイでは、複数の画面を横方向に並べて表示する場合にも特に適している。表示装置１００には、例えばテレビチューナ、ＶＴＲ再生機，ＤＶＤ（Digital Versatile Disk）プレーヤ，カーナビゲーション等の画像再生機器が接続されて、後席の観視者Ａ，Ｂが各種画像と音声を楽しむことができる。
【００２１】
表示装置１００は、ＴＦＴ型の横長ＬＣＤパネルなどからなる表示パネル１１０と、２画面表示と観視者位置に対応して、特定方向の太陽光などの外光の強さを検出する４つの受光センサ１１１〜１１４と、観視者Ａ，Ｂが各種入力・設定操作を行う操作部１２０とを備える。また、表示パネル１１０の背面にはバックライト（図示略）が配置される。表示パネル１１０に出力された画像は、このバックライトからの光によって視認できるようになる。バックライトは、インバータによって駆動される冷陰極線管（ＣＣＦＴ：Cold Cathode Fluorescent Tube）などから構成されるが、これに限らず、例えば、光源としてＥＬ（Electro Luminescence）や白色ＬＥＤ（Light Emitting Diode）等の他の種類の光源を用いることも可能である。
【００２２】
受光センサ１１１〜１１４は、外光の強さを検知するフォトトランジスタなどからなり、詳細については図３で後述する。受光センサ１１１〜１１４は、外光の強さを検出する外光センサではあるが、表示パネルの周辺の照度を検出する従来の外光センサとは以下の点で異なる。すなわち、（１）図２に示すように、受光センサ１１１〜１１４は、ある観視者が着座位置（以下、単に観視者位置という）からモニタ画面を見た場合に、その観視者にとって最も目障りとなるモニタ画面からの反射光（つまり、映り込み）を選択的に検出する。また、（２）図１に示すように、表示パネル１１０の２画面（画面１及び画面２）表示に対応して、表示パネル１１０左側の画面１の中央下段に左座席用と右座席用の受光センサ１１１，１１２を設置し、表示パネル１１０右側の画面２の中央下段に左座席用と右座席用の受光センサ１１３，１１４を設置する。本実施の形態では、表示パネル１１０の画面１の中央下側に観視者Ａ位置の反射光を受光する左座席用受光センサ１１１と観視者Ｂ位置の反射光を受光する右座席用受光センサ１１２とが並んで配置され、表示パネル１１０の画面２の中央下側に観視者Ａ位置の反射光を受光する左座席用受光センサ１１３と観視者Ｂ位置の反射光を受光する右座席用受光センサ１１４とが並んで配置される。
【００２３】
受光センサ１１１〜１１４により検出された検出信号は、後述する図５に示す制御部５００に入力される。なお、受光センサ１１１〜１１４は、観視者位置から見た反射光以外の光、特にバックライトからの照射光が影響しない箇所に配置するのが好ましい。
【００２４】
図３は、上記受光センサ１１１〜１１４の具体的構成を示す図であり、図３（ａ）はその正面図、図３（ｂ）はその側面図である。図中の数値はその実寸例であり単位はｍｍである。受光センサ１１１〜１１４は、同一構成を採るため、受光センサ１１１を代表して説明する。
【００２５】
図３において、受光センサ１１１は、センサユニット１１５と、センサユニット１１５の底面に設置され、外部から照射される太陽光などの外光の強さを検知する受光素子であるフォトトランジスタ１１６と、センサユニット１１５の受光面に設置され、受光素子の受光の強度が測定範囲に収まるように光を減衰させるフィルタ１１７とから構成される。なお、受光センサ１１１〜１１４は、フォトトランジスタに限定されるものではなくフォトダイオードや太陽電池などであってもよい。
【００２６】
図４は、受光センサ１１１〜１１４の受光素子電圧と映り込み反射輝度との対応関係を示す図である。図４に示すように、外光の強さを検知する外光センサ１１１〜１１４の受光素子電圧[Ｖ]が高くなるほど映り込み反射輝度[ｃｄ／ｍ２]も高い。また、映り込み反射輝度は、受光素子電圧を基に次式（１）に示す直線近似式により算出することも可能である。
【００２７】
映り込み反射輝度＝２３．７５３×受光素子電圧＋３．６９１    …（１）
上記図４に示す対応関係表又は式（１）に示す線形近似式を用いて外光センサ１１１〜１１４の受光素子電圧から映り込み反射輝度を推定することができる。
【００２８】
上記受光センサ１１１〜１１４は、同一構成であるが、２画面表示と観視者位置に対応するため、取付け位置と取付け方法をそれぞれ変えている。図２に示すように、まず、受光センサ１１１は、受光面を左座席の観視者Ａの略正面に向けて表示パネル１１０の画面１下側中央に取付け、その隣の受光センサ１１２は、受光面を右座席の観視者Ｂ位置に向けて取付ける。同様に、受光センサ１１３は、受光面を左座席の観視者Ａ位置に向けて表示パネル１１０の画面２下側中央に取付け、その隣の受光センサ１１４は、受光面を右座席の観視者Ｂの略正面に向けて取付ける。具体的には、受光センサ１１２，１１３は、表示パネル１１０面に対して１５０°とすることが好ましい。なお、図１に示すように、受光センサ１１１〜１１４上は透明なアクリル樹脂で被覆されており、表示パネル１１０表面と一体感が保たれている。
【００２９】
図１に戻って、表示装置１００の操作部１２０は、画像ソース１（以下、画像１という）の１画面表示ボタン，画像ソース２（以下、画像２という）の１画面表示ボタン，２画面表示ボタン，自動検出ボタンを有する。操作部１２０は、「画像１の１画面表示」「画像２の１画面表示」「２画面表示」「自動検出」を区別することが可能な４つのボタンのほか、各種操作ボタンやスイッチを備える。例えば、テレビのチャンネル切り替えやＤＶＤ再生等の操作、音量調整用操作などは操作部１２０上の該当ボタンにより行われる。また、図示は省略するが、後席用に設置された表示装置１００の表示画像に伴う音声は、車室内のスピーカや観視者Ａ，Ｂが装着するヘッドホンやイヤホン等に出力される。
【００３０】
表示装置１００の設置態様としては、車内の天井吊り下げのほか、前部座席のヘッドレストや前部座席背面への埋め込み、コンソールボックスあるいはフロア面に据え置くなど、種々の態様がある。いずれにしても、運転者の後方視界を遮らないことが設置の大前提である。後部座席に座った人が、操作部１２０の操作ボタン等で再生画像の種類選択、チャンネル切り替え、画面の角度や位置、音量の調整等の操作を行う。
【００３１】
着座センサ３０１，３０２は、車の後部座席に埋め込まれた接点スイッチ等からなる着座センサであり、乗員が座席に着座した場合に着座検出信号を発生し、着座状態情報として表示装置１００に送信する。着座センサ３０１，３０２は、後部座席２００の長手方向に複数（本実施の形態では、２つ）配置しておくことにより、各乗員の着座位置を検出する。着座センサ３０１，３０２は、３以上設けてもよいことは言うまでもない。また、接点スイッチ等からなる着座センサに代えて、圧電素子を用いた圧力センサや、重量センサ、車室内の放射温度検知による人体検知センサや、車室内の状態を画像で監視する監視カメラ等を利用したものであってもよい。さらに、着座センサ３０１は、シートベルト装着部に設置したスイッチ（例えば接点スイッチ）でもよく、シートベルト装着の有無を検出することにより、座席左側の乗員（観視者）Ａの着座の有無を検出する。同様に、着座センサ３０２は、シートベルト装着部に設置したスイッチでもよく、シートベルト装着の有無を検出することにより、座席右側の乗員（観視者）Ｂの着座の有無を検出する。
【００３２】
図５は、上記表示装置１００の構成を示すブロック図である。
【００３３】
図５において、表示装置１００は、マイクロプロセッサからなり装置全体の表示制御を行うとともに、各受信部５２０〜５６０からの読出情報及び信号処理部５７０，５８０からの画像特徴量情報（輝度）Ｉｃ１，Ｉｃ２を基に記憶部５１０の情報を参照してディスプレイ位置による映り込みに応じて画質を補正する処理を行って画像処理パラメータＶｃ１，Ｖｃ２を出力し、また２画面合成部５９０の画像合成を制御する制御部５００と、マイクロプロセッサで実行する制御プログラム及び表示制御のための各種設定情報を記憶する半導体メモリからなる記憶部５１０と、ボタンスイッチの押下等の操作情報を出力する操作部１２０と、着座センサ３０１，３０２と接続されており、これらセンサ３０１及び３０２が検出した観視者位置情報Ｉｐを受信する観視者位置受信部５２０と、受光センサ１１１と接続されており、該センサ１１１が検出した外光情報Ｉｇ１を受信する画面１左観視者用外光受信部５３０と、受光センサ１１２と接続されており、該センサ１１２が検出した外光情報Ｉｇ２を受信する画面１右観視者用外光受信部５４０と、受光センサ１１３と接続されており、該センサ１１３が検出した外光情報Ｉｇ３を受信する画面２左観視者用外光受信部５５０と、受光センサ１１４と接続されており、該センサ１１４が検出した外光情報Ｉｇ４を受信する画面２右観視者用外光受信部５６０と、画像入力端子１０１に入力される画像信号Ｓｉ１を画像処理パラメータＶｃ１に従って信号処理する信号処理部５７０（信号処理部<１>）と、画像入力端子１０２に入力される画像信号Ｓｉ２を画像処理パラメータＶｃ２に従って信号処理する信号処理部５８０（信号処理部<２>）と、制御部５００の制御信号に基づいて信号処理部５７０，５８０の処理後画像信号Ｓｏ１，Ｓｏ２を画面合成し、画面合成した表示用画像信号Ｓｃ出力する２画面合成部５９０と、２画面合成部５９０から出力される表示用画像信号Ｓｃを表示する表示パネル１１０とを備えて構成される。また、図示は省略するが拡声用スピーカを備える。なお、音声を入力するためのマイク、受信信号及びマイクからの入力音声信号をデジタル信号処理する音声信号処理部、音声認識部を備えることにより、音声入力による操作も可能である。
【００３４】
表示パネル１１０は、ドットマトリクス構成の横長ＬＣＤディスプレイで構成される。ＬＣＤディスプレイに代えて、有機ＥＬ（Electro Luminescence）表示装置、ＰＤＰ（Plasma Display Panel）装置、ＣＲＴ表示装置、プロジェクタ式表示装置等を使用可能である。表示パネル１１０には、後部座席の観視者のための各種画面、例えば表示機能の動作状態を示すアイコン等が表示される。また、リモートコントローラ機能モード時やビデオ出力機能モード時には、各種操作情報や音量調整ＧＵＩ（Graphical User Interface）が表示される。
【００３５】
操作部１２０は、リモートコントローラ、エスカッションボタン、車載ＬＡＮ（Local Area Network）による観視者位置設定、映り込み画質補正処理のＯＮ・ＯＦＦ設定を入力する。
【００３６】
観視者位置受信部５２０は、着座センサ３０１，３０２により検出した電圧値を観視者位置情報Ｉｐとして受信する。観視者位置受信部５２０は、観視例えば着座センサ３０１，３０２に代えて、あるいは併用して、シートベルトの検知信号の電圧値を受信したり、着座した観視者を撮像するＣＣＤ（Charge Coupled Device）カメラ及び画像認識エンジンによる画像認識のデジタル情報を受信しても構わない。また、観視者位置受信部５２０は、リモートコントローラ，エスカッションボタンなどにより手動入力された観視者位置情報を受信しても構わないし、さらに前席ナビ（運転席ナビゲーション装置）へ入力された観視者位置情報を、車載ＬＡＮを介して受信しても構わない。
【００３７】
信号処理部５７０，５８０は、例えばＤＳＰ（Digital Signal Processor）などからなり制御部５００から画像処理パラメータＶｃ１，Ｖｃ２を取得し、画像入力端子１０１，１０２に入力される画像信号Ｓｉ１，Ｓｉ２を取り込み、画像処理パラメータＶｃ１，Ｖｃ２に従って１画素ずつ信号処理する。
【００３８】
制御部５００は、マイクロプロセッサからなり、図１４及び図１５に後述するディスプレイ位置の映り込み画質補正処理を実行して、各受信部５２０〜５６０からの読出情報及び信号処理部５７０，５８０からの画像特徴量情報（輝度）Ｉｃ１，Ｉｃ２を取得するとともに、記憶部５１０から受光センサ値と画素位置とゲイン補正係数のテーブルを参照して、ゲイン補正係数を変更する画像処理パラメータＶｃ１，Ｖｃ２を信号処理部５７０，５８０に設定する制御を行う。
【００３９】
また、制御部５００は、２画面合成部５９０に制御信号を出力して２画面合成部５９０の画像合成を制御する。
【００４０】
２画面合成部５９０は、制御部５００の制御信号に基づいて信号処理部５７０，５８０から出力される処理後画像信号Ｓｏ１，Ｓｏ２を画面合成する。
【００４１】
記憶部５１０は、制御プログラムや固定データ等を記憶するＲＯＭ，マイクロプロセッサの作業用記憶領域であるＲＡＭ等の半導体メモリなどからなる。また外部メモリとしてＳＤカード、ＨＤＤなどの記憶媒体を備える構成であってもよい。ＲＯＭは、制御部５００が動作する際に必要なプログラム、表示制御データ等の固定データを記憶する読出し専用の半導体メモリである。ＲＡＭは、映り込み画質補正処理に関するデータ、及び演算結果等を一時的に記憶するいわゆるワーキングメモリとして使用される。表示装置１００で処理されるプログラムは、このＲＡＭに展開されて実行される。また、ＲＡＭの一部は、電気的に書換可能な不揮発性メモリであるＥＥＰＲＯＭ（electrically erasable programmable ROM）からなり、ＥＥＰＲＯＭに書き込むプログラムを変えることによって、特に表示装置１００における各種の仕様を変更することができる。
【００４２】
記憶部５１０は、映り込み画質補正処理に関するデータとして、受光センサ値と画素位置とゲイン補正係数のテーブルを格納する。
【００４３】
図６乃至図１１は、記憶部５１０に記憶されている設定記憶情報の一例を示す図である。設定記憶情報の一部はルックアップテーブルとして記憶される。
【００４４】
図６は、ディスプレイに表示する画像の設定記憶情報を示す図である。選択画像は、選択画像１と選択画像２があり、表示パネル１１０に２画面表示する画像ソースとして、ＣＤ／ＤＶＤ再生、ＴＶ１、ＴＶ２、外部信号入力がある。
【００４５】
図７は、ディスプレイに表示するディスプレイ出力設定の設定記憶情報を示す図である。ディスプレイ出力設定は、選択画像１、選択画像２、選択画像１及び選択画像２、選択画像２及び選択画像１のいずれかを選択する。このディスプレイ出力設定により、上記選択画像１と選択画像２の単独、又はその組み合わせが設定される。
【００４６】
図８は、画面観視者位置設定の設定記憶情報を示す図である。画面観視者位置設定には、ディスプレイの画面毎に、前記複数の観視者位置のいずれかが設定され、１画面表示時観視者位置、画面１観視者位置、及び画面２観視者位置が設定される。１画面表示時観視者位置設定は、１画面表示時の対象観視者位置の設定である。画面１観視者位置設定は、２画面表示時の画面１の対象観視者位置の設定、また画面２観視者位置設定は、２画面表示時の画面２の対象観視者位置の設定である。各画面観視者位置設定において、右座席観視者、左座席観視者、又は正面観視者を、リモートコントローラ、エスカッションボタン、又は前席ナビ（運転席ナビゲーション装置）から設定する。
【００４７】
図９は、画質調整設定の設定記憶情報を示す図である。画質調整設定は、ディスプレイ特性に応じた画質を調整するディスプレイ画質調整設定と、ディスプレイ位置による映り込みに応じて画質を調整するための１画面表示時画質調整設定、画面１画質調整設定、及び画面２画質調整設定とに分かれる。上記ディスプレイ画質調整設定は、ディスプレイ自体の画質特性を調整するもので再設定されることは少ない。これに対して、１画面表示時の画質調整値を設定する１画面表示時画質調整設定、２画面表示時の画面１の画質調整値を設定する画面１画質調整設定、及び２画面表示時の画面２の画質調整値を設定する画面２画質調整設定は、観視者位置又は外光情報などにより適宜設定される。上記ディスプレイ画質調整設定は、コントラスト、ブライト、カラー、色相、及びガンマの各補正情報を設定し、上記１画面表示時画質調整設定、画面１画質調整設定、及び画面２画質調整設定は、さらにＤＣＣの設定値を設定する。
【００４８】
図１０は、観視者角度テーブルの一例を示す図である。図１０に示すように、表示パネル１１０正面から見て右座席位置を４０°、正面を０°、左座席位置を−４０°を観視者角度とする。例えば、観視者が後部座席２００の左座席に着座すると観視者角度−４０°が設定され、右座席に着座すると観視者角度４０°が設定される。また、一人の観視者が座席中央に着座するか、２以上の観視者が後部座席２００の左右座席に着座するか、一人の観視者が座席中央に着座する場合は、観視者角度０°が設定される。
【００４９】
図１１は、外光補正強度テーブルの一例を示す図である。図１１に示すように、受光素子情報０〜２５５の各ビットに対応する補正強度値０，１．２，…，２９９，３００を設定する。
【００５０】
以下、上述のように構成された表示装置の動作について説明する。
【００５１】
図１２は、視野角に応じた外光補正方法を説明する図である。
【００５２】
図１２において、ディスプレイ６００の領域をＡとＢの２つに分け、その代表点ＣとＤにおいて外光強度を測定する。７００は観視者位置である。上記代表点Ｃ，Ｄは、例えばディスプレイ領域Ａ，Ｂの中央点である。
【００５３】
測定した外光強度と前記図１１に示す外光補正強度テーブルに基づいて、代表点Ｃから得た補正強度値を使ってディスプレイ領域Ａの強度を補正するとともに、代表点Ｄから得た補正強度値を使ってディスプレイ領域Ｂの強度を補正する。本実施の形態では、図１及び図２に示すように、表示パネル１１０の下側２箇所に、外光強度検出手段である受光センサ１１１，１１２と受光センサ１１３，１１４とを設置している。また、観視者位置は、観視者位置検出手段である着座センサ３０１，３０２が検出する。
【００５４】
上記ディスプレイ６００の領域の分割数は２に限らず、３以上であってもよい。また、外光強度検出手段を設置する代表点Ｃ，Ｄは、各ディスプレイ領域の中央点ではなくても構わない。また、１画面表示の場合についても画面領域をＡとＢ（又はそれ以上）に分割し、それぞれの領域に対して外光補正強度を与えてもよい。
【００５５】
ここで、観視者が複数人いる場合は、下記のいずれかの処理を選択する。
（１）視野角に応じた表示処理をＯＦＦにする。
（２）観視者が２人でディスプレイの中心から対称の位置に着座している場合は、各外光センサの平均をとり、この平均値を用いる。
（３）メイン又は代表者の観視者位置を入力、あるいは予め設定しておいてその観視者位置に合わせる。
（４）複数の画面を表示し、各画面の観視者が設定されている場合は画面毎にその複数の観視者に最適な補正を行う。
【００５６】
図１３は、図１２の補正方法を複数の観視者に適用する場合の、車両の後部に設置された表示装置を上方から見た模式図である。図２と同一構成部分には同一符号を付している。
【００５７】
図１３に示すように、観視者方向の外光を検出する受光センサ１１１，１１２と受光センサ１１３，１１４とを、観視者位置及び２画面表示に対応して複数設置し、受光センサ１１１〜１１４による検出情報を基に画面毎に補正する。
【００５８】
受光センサ１１１は、左座席への画面１の反射光を、受光センサ１１２は、右座席への画面１の反射光を、受光センサ１１３は、左座席への画面２の反射光を、受光センサ１１４は、右座席への画面２の反射光を、それぞれ推定する外光センサである。
【００５９】
また、観視者位置は、着座センサ３０１，３０２が検出する。
【００６０】
図１４及び図１５は、ディスプレイ位置の映り込み画質補正処理のプログラムを示すフローチャートであり、制御部５００を構成するマイクロプロセッサにより実行される。図中、Ｓはフローの各ステップを示す。
【００６１】
まず、制御部５００は、ステップＳ１で記憶部５１０に記憶されているディスプレイ出力設定（図７）を参照し、ステップＳ２で参照したディスプレイ出力設定を判別する。ディスプレイ出力設定は、選択画像１、選択画像２、選択画像１及び選択画像２、選択画像２及び選択画像１があり、いずれが設定されているかを制御部５００は判別する。選択画像１，２は、例えばＣＤ／ＤＶＤ再生、ＴＶ１、ＴＶ２、外部信号入力である。
【００６２】
上記ステップＳ２で１つの画像ソース（選択画像１又は選択画像２）が設定されている場合と、２つの画像ソースの組み合わせ（選択画像１及び選択画像２など）が設定されている場合とで以下の処理が大きく異なる。
【００６３】
ディスプレイ出力設定により選択画像１又は選択画像２が設定されている場合には、制御部５００は、ステップＳ３で記憶部５１０に記憶されている画面観視者位置設定（図８）の画面１観視者位置設定を参照し、ステップＳ４で上記画面観視者位置設定の画面２観視者位置設定を参照する。画面１観視者位置設定は、２画面表示時の画面１の対象観視者位置の設定、また画面２観視者位置設定は、２画面表示時の画面２の対象観視者位置の設定である。画面１及び画面２観視者位置設定では、対象観視者を右座席観視者、左座席観視者、又は正面観視者のいずれにするかを、制御部５００は設定する。この画面観視者位置設定は、操作部１２０によるリモートコントローラ、エスカッションボタンなどの操作のほか、前席ナビによる運転者の操作で設定する。
【００６４】
ステップＳ５では、画面１観視者位置設定による対象観視者が右座席観視者、左座席観視者、及び正面観視者のうち、いずれかであるかを、制御部５００は判別する。画面１観視者位置設定による対象観視者が左座席観視者であるときは、制御部５００は、ステップＳ６で観視者角度テーブル（図１０）を参照して、この場合は観視者角度−４０°を設定し、ステップＳ７で画面１左座席用外光情報Ｌ１を取得する。具体的には、制御部５００は、画面１左観視者用外光受信部５３０から外光情報Ｉｇ１を取得する。次いで、制御部５００は、ステップＳ８で取得した画面１左座席用外光情報Ｌ１を補正強度（制御目標値）Ｇに設定（Ｇ＝Ｌ１）してステップＳ１６に進む。
【００６５】
また、上記ステップＳ５で画面１観視者位置設定による対象観視者が右座席観視者であるときは、制御部５００は、ステップＳ９で観視者角度テーブル（図１０）を参照して、この場合は観視者角度４０°を設定し、ステップＳ１０で画面１右座席用外光情報Ｒ１を取得する。具体的には、制御部５００は、画面１右観視者用外光受信部５４０から外光情報Ｉｇ２を取得する。次いで、制御部５００は、ステップＳ１１で取得した画面１右座席用外光情報Ｒ１を補正強度（制御目標値）Ｇに設定（Ｇ＝Ｒ１）してステップＳ１６に進む。
【００６６】
また、上記ステップＳ５で画面１観視者位置設定による対象観視者が正面観視者であるときは、制御部５００は、ステップＳ１２で観視者角度テーブル（図１０）を参照して、この場合は観視者角度０°を設定する。次いで、制御部５００は、ステップＳ１３で画面１左座席用外光情報Ｌ１を取得し、ステップＳ１４で画面１右座席用外光情報Ｒ１を取得する。次いで、制御部５００は、ステップＳ１５で取得した画面１左座席用外光情報Ｌ１と画面１右座席用外光情報Ｒ１を基に次式（２）に従って補正強度（制御目標値）Ｇを設定してステップＳ１６に進む。
【００６７】
Ｇ＝（Ｌ１＋Ｒ１）／２                                      …（２）
ステップＳ１６では、制御部５００は、外光補正強度テーブル（図１１）を参照してＧに相当する補正強度を設定し、ステップＳ１７で画面１の画像の輝度情報を取得する。
【００６８】
次いで、制御部５００は、ステップＳ１８で設定された補正強度Ｇ及び取得した輝度情報に基づいて画面１のコントラスト、ブライト、カラー、色相、シャープネス及び／又はガンマを補正してステップＳ１９（図１５）に進む。ここで、映り込みに応じた画質補正について、コントラスト、ブライト、カラー、色相、シャープネス、ガンマのうち、映り込みに対して最も有効で、かつなるべく画質を損なわないパラメータの組み合わせとその補正量が予め実験等により算出されている。
【００６９】
ステップＳ１９では、制御部５００は、画面２観視者位置設定による対象観視者が右座席観視者、左座席観視者、及び正面観視者のうち、いずれかであるかを判別する。画面２観視者位置設定による対象観視者が左座席観視者であるときは、制御部５００は、ステップＳ２０で観視者角度テーブル（図１０）を参照して、この場合は観視者角度−４０°を設定し、ステップＳ２１で画面２左座席用外光情報Ｌ２を取得する。具体的には、制御部５００は、画面２左観視者用外光受信部５５０から外光情報Ｉｇ３を取得する。次いで、制御部５００は、ステップＳ２２で取得した画面２左座席用外光情報Ｌ２を補正強度（制御目標値）Ｇに設定（Ｇ＝Ｌ２）してステップＳ３０に進む。
【００７０】
また、上記ステップＳ１９で画面２観視者位置設定による対象観視者が右座席観視者であるときは、制御部５００は、ステップＳ２３で観視者角度テーブル（図１０）を参照して、この場合は観視者角度４０°を設定し、ステップＳ２４で画面２右座席用外光情報Ｒ２を取得する。具体的には、制御部５００は、画面２右観視者用外光受信部５６０から外光情報Ｉｇ４を取得する。次いで、制御部５００は、ステップＳ２５で取得した画面２右座席用外光情報Ｒ２を補正強度（制御目標値）Ｇに設定（Ｇ＝Ｒ２）してステップＳ３０に進む。
【００７１】
また、上記ステップＳ１９で画面２観視者位置設定による対象観視者が正面観視者であるときは、制御部５００は、ステップＳ２６で観視者角度テーブル（図１０）を参照して、この場合は観視者角度０°を設定する。次いで、制御部５００は、ステップＳ２７で画面２左座席用外光情報Ｌ２を取得し、ステップＳ２８で画面２右座席用外光情報Ｒ２を取得する。次いで、制御部５００は、ステップＳ２９で取得した画面２左座席用外光情報Ｌ２と画面２右座席用外光情報Ｒ２を基に次式（３）に従って補正強度（制御目標値）Ｇを設定してステップＳ３０に進む。
【００７２】
Ｇ＝（Ｌ２＋Ｒ２）／２                                      …（３）
ステップＳ３０では、制御部５００は、外光補正強度テーブル（図１１）を参照してＧに相当する補正強度を設定し、ステップＳ３１で画面２の画像の輝度情報を取得する。
【００７３】
次いで、制御部５００は、ステップＳ３２で設定された補正強度Ｇ及び取得した輝度情報に基づいて画面２のコントラスト、ブライト、カラー、色相、シャープネス及び／又はガンマを補正して本フローを終了する。
【００７４】
以上が、ディスプレイ出力設定により選択画像１又は選択画像２が設定されている場合の処理である。
【００７５】
一方、上記ステップＳ２で２つの画像ソースの組み合わせ（選択画像１及び選択画像２又は選択画像２及び選択画像１）が設定されている場合には、制御部５００は、ステップＳ３３で記憶部５１０に記憶されている画面観視者位置設定（図８）の１画面表示時観視者位置設定を参照し、ステップＳ３４で１画面表示時観視者位置設定による対象観視者が右座席観視者、左座席観視者、及び正面観視者のうち、いずれかであるかを判別する。１画面表示時観視者位置設定による対象観視者が左座席観視者であるときは、制御部５００は、ステップＳ３５で観視者角度テーブル（図１０）を参照して、この場合は観視者角度−４０°を設定し、ステップＳ３６で画面１左座席用外光情報Ｌ１を取得し、ステップＳ３７で画面２左座席用外光情報Ｌ２を取得し、ステップＳ３８で取得した画面１左座席用外光情報Ｌ１と画面２左座席用外光情報Ｌ２を基に次式（４）に従って補正強度（制御目標値）Ｇを設定してステップＳ４９に進む。
【００７６】
Ｇ＝（Ｌ１＋Ｌ２）／２                                      …（４）
また、上記ステップＳ３４で１画面表示時観視者位置設定による対象観視者が右席観視者であるときは、制御部５００は、ステップＳ３９で観視者角度テーブル（図１０）を参照して、この場合は観視者角度４０°を設定し、ステップＳ４０で画面１右座席用外光情報Ｒ１を取得し、ステップＳ４１で画面２右座席用外光情報Ｒ２を取得し、ステップＳ４２で取得した画面１右座席用外光情報Ｒ１と画面２右座席用外光情報Ｒ２を基に次式（５）に従って補正強度（制御目標値）Ｇを設定してステップＳ４９に進む。
【００７７】
Ｇ＝（Ｒ１＋Ｒ２）／２                                      …（５）
また、上記ステップＳ３４で１画面表示時観視者位置設定による対象観視者が正面観視者であるときは、制御部５００は、ステップＳ４３で観視者角度テーブル（図１０）を参照して、この場合は観視者角度０°を設定し、ステップＳ４４で画面１左座席用外光情報Ｌ１を取得し、ステップＳ４５で画面１右座席用外光情報Ｒ１を取得する。次いで、制御部５００は、ステップＳ４６で画面２左座席用外光情報Ｌ２を取得し、ステップＳ４７で画面２右座席用外光情報Ｒ２を取得する。次いで、制御部５００は、ステップＳ４８で取得した画面１左座席用外光情報Ｌ１、画面１右座席用外光情報Ｒ１、と画面２左座席用外光情報Ｌ２及び画面２右座席用外光情報Ｒ２を基に次式（６）に従って補正強度（制御目標値）Ｇを設定してステップＳ４９に進む。
【００７８】
Ｇ＝（Ｒ１＋Ｒ２＋Ｌ１＋Ｌ２）／４                          …（６）
ステップＳ４９では、制御部５００は、外光補正強度テーブル（図１１）を参照してＧに相当する補正強度を設定し、ステップＳ５０で画像の輝度情報を取得する。
【００７９】
次いで、制御部５００は、ステップＳ５１で設定された補正強度Ｇ及び取得した輝度情報に基づいて画面全体のコントラスト、ブライト、カラー、色相、シャープネス及び／又はガンマを補正して、本フローを終了する。
【００８０】
以上のように、本実施の形態によれば、表示装置１００は、車両の車室内に設置され、画像を表示画面に表示する表示パネル１１０と、着座センサ３０１，３０２からなり検出した観視者位置情報を出力する観視者位置受信部５２０と、受光センサ１１１〜１１４から各観視者に対する画面からの反射光の量を示すセンサ値を出力する観視者用外光受信部５４０〜５６０と、映り込み画質補正処理に関するセンサ値と画素位置とゲイン補正係数のテーブル及びその他の各種情報を格納する記憶部５１０とを備え、制御部５００は、各受信部５２０〜５６０からの読出情報及び信号処理部５７０，５８０からの画像特徴量情報（輝度）Ｉｃ１，Ｉｃ２を基に、記憶部５１０の情報（特に図８に示す画面観視者位置設定の設定記憶情報）を参照してディスプレイ位置による映り込みに応じて画質を補正する処理を行って画像処理パラメータＶｃ１，Ｖｃ２を出力し、信号処理部５７０，５８０は、映り込み画質補正が施された画像処理パラメータＶｃ１，Ｖｃを基に画像信号Ｓｉ１，Ｓｉ２の画質調整を行うので、車の後部座席に座っている観視者など、特に、ディスプレイが横長で、かつ視覚が近くにある車載用の表示装置１００において、外部の光による映り込みに対して、観視者それぞれの視認性を向上させることができる。
【００８１】
例えば、図１３に示すように、車両の後部座席２００に観視者Ａ，Ｂが着座し、観視者Ａは画面１のＴＶを、観視者Ｂは画面２のＤＶＤを観視しているとき、車両の左側から太陽光が入り、これが表示パネル１１０で反射した場合を例に採る。この場合、反射光の影響を強く受けるのは観視者Ｂであり、観視者Ａは観視者Ｂほど反射光の影響を受けない。表示パネル１１０には、画面１，画面２に対応して左座席用と右座席用の受光センサ１１１，１１２と受光センサ１１３，１１４とがそれぞれ設置され、各観視者Ａ，Ｂへの画面１、画面２からの反射光の量を示す値が検出され、制御部５００は、画面１，画面２毎のセンサ値に基づいて表示パネル１１０の各画面１，２の画質補正（例えば、コントラスト、ブライト、カラーなど）を行う。いま、選択画像設定により観視者の観視画面が、また２画面表示設定により画面１，２の映り込み画質補正が設定されているとすると、画面１を観視している観視者Ａは、元々反射光の影響を受けず、画面２を観視している観視者Ｂは、画面１からの反射光はあるものの、観視している画面２からの反射光は少ない。したがって、観視者Ａが観視する画面１の映り込み画質補正は行われず、観視者Ｂが観視する画面２の映り込み画質補正も行われない。画質補正を行わないことは、すなわち観視者が予め設定した画質調整設定値（デフォルト値も含む）がそのまま適用されことであるため、良好な画質が保たれる。上記は一例であり、ディスプレイ出力設定によっては画面１，２に対する画質補正が行われることになる。例えば、ディスプレイ出力設定により画面２及び画面１を観視する場合には、画面１に対して映り込み画質補正が施され、観視者Ｂは、映り込みの影響が軽減された画面１を観視することができる。以上のことを、前記図１７に示す従来例と比較してみれば、効果は明らかであろう。
【００８２】
このように、本実施の形態によれば、観視者に対する外光の映り込みを検出し、この映り込み情報に基づいて画質を補正しているので、外部の光による映り込みが部分的に発生し易い横長表示パネル１１０において、観視者の観視に合わせて外光の映り込みの影響を軽減することができ、また画面全体の画質を良好に保つことができる。
【００８３】
また、本実施の形態では、操作部１２０により観視者が画質調整設定や画面観視者位置設定などを設定可能に構成しているので、観視者の要望に合わせて最適な画像を表示することができる。また、着座センサ３０１，３０２により後部座席に着座した観視者の位置を検出しているので、観視者の位置に合わせて最適な映り込みに応じた画質補正を行うことができ、ディスプレイが横長で、かつ視覚が近くにある表示パネル１１０において、ディスプレイの左右で映り込みを適切に補正することができる。また、２画面表示の際に特に有効である。したがって、複数の観視者にとって映り込みによる影響をできるだけ緩和することができ、観視しやすい表示装置が実現できる。
【００８４】
さらに、本実施の形態は、映り込みに応じた画質補正を行うものであるが、同様な方法により得られた制御量を用いて表示パネル１１０のバックライトの輝度を調整することも可能である。バックライトの光源として、白色ＬＥＤのバックライトパックを使用する表示装置であれば、横長ディスプレイの左右で輝度を調整することができる。
【００８５】
以上の説明は本発明の好適な実施の形態の例証であり、本発明の範囲はこれに限定されることはない。例えば、（１）映り込みに応じた画質補正を行う場合、予め特定の表示モードを設定しておき、この表示モードを読み出して画質補正処理に反映させる手段、（２）予め決めた代表者に対してのみ前記画質補正を行う手段、（３）画面毎に画質補正を行う手段、（４）画質補正処理をＯＦＦにする手段、を拡張構成として導入してもよい。
【００８６】
また、本実施の形態では、車両の後部座席から観視する表示装置に適用した例について説明しているが、同様の他の車両に搭載するものでもよい。また、車室以外にも、外光が気になる空間に設置される表示装置であればどのような表示装置にも適用可能である。
【００８７】
また、図１及び図２の構成例は一例でありどのような構成、例えば座席数と画像入力数が３以上であっても構わない。
【００８８】
また、本実施の形態では表示装置という名称を用いたが、これは説明の便宜上であり、車載用表示装置、車載用電子機器等であってもよいことは勿論である。
【００８９】
さらに、上記表示装置を構成する各回路部、例えば信号処理部等の種類、数及び接続方法などは前述した実施の形態に限られない。
【００９０】
また、以上説明した表示装置は、この表示装置を機能させるためのプログラムでも実現される。このプログラムはコンピュータで読み取り可能な記録媒体に格納されている。
【産業上の利用可能性】
【００９１】
本発明に係る表示装置は、車両の車室内に設置される車載用表示装置として有用である。また、１画面及び２画面表示時観視者位置による設定、画質調整設定操作を行うことができるため、利便上有用である。また、表示部と操作部を含む表示装置を複数持つ製品等の用途にも応用できる。また、車室以外にも、外光により視認性が悪くなる空間に設置される表示装置に好適である。
【図面の簡単な説明】
【００９２】
【図１】本発明の実施の形態に係る表示装置の外観構成を示す正面図
【図２】上記実施の形態に係る表示装置を上方から見た模式図
【図３】上記実施の形態に係る表示装置の受光センサの具体的構成を示す図
【図４】上記実施の形態に係る表示装置の受光センサの受光素子電圧と映り込み反射輝度との対応関係を示す図
【図５】上記実施の形態に係る表示装置の構成を示すブロック図
【図６】上記実施の形態に係る表示装置のディスプレイに表示する画像の設定記憶情報を示す図
【図７】上記実施の形態に係る表示装置のディスプレイに表示するディスプレイ出力設定の設定記憶情報を示す図
【図８】上記実施の形態に係る表示装置の画面観視者位置設定の設定記憶情報を示す図
【図９】上記実施の形態に係る表示装置の画質調整設定の設定記憶情報を示す図
【図１０】上記実施の形態に係る表示装置の観視者角度テーブルの一例を示す図
【図１１】上記実施の形態に係る表示装置の外光補正強度テーブルの一例を示す図
【図１２】上記実施の形態に係る表示装置の視野角に応じた外光補正方法を説明する図
【図１３】図１２の補正方法を複数の観視者に適用する場合の、車両の後部に設置された表示装置を上方から見た模式図
【図１４】上記実施の形態に係る表示装置のディスプレイ位置の映り込み画質補正処理のプログラムを示すフロー図
【図１５】上記実施の形態に係る表示装置のディスプレイ位置の映り込み画質補正処理のプログラムを示すフロー図
【図１６】従来の車両の車室内で複数の画像を表示可能な表示装置の表示例を説明する図
【図１７】従来の外光センサにより照度を変化させる表示装置の表示例を説明する図
【符号の説明】
【００９３】
１００  表示装置
１０１  画像入力端子
１０２  画像入力端子
１１０  表示パネル
１１１〜１１４  受光センサ（外光センサ）
１１５  センサユニット
１１６  フォトトランジスタ
１１７  フィルタ
１２０  操作部
２００  後部座席
３０１，３０２  着座センサ
５００  制御部
５１０  記憶部
５２０  観視者位置受信部
５３０  画面１左観視者用外光受信部
５４０  画面１右観視者用外光受信部
５５０  画面２左観視者用外光受信部
５６０  画面２右観視者用外光受信部
５７０，５８０  信号処理部
５９０  ２画面合成部
【図１】
2007292810.tif 000003
【図２】
2007292810.tif 000004
【図３】
2007292810.tif 000005
【図４】
2007292810.tif 000006
【図５】
2007292810.tif 000007
【図６】
2007292810.tif 000008
【図７】
2007292810.tif 000009
【図８】
2007292810.tif 000010
【図９】
2007292810.tif 000011
【図１０】
2007292810.tif 000012
【図１１】
2007292810.tif 000013
【図１２】
2007292810.tif 000014
【図１３】
2007292810.tif 000015
【図１４】
2007292810.tif 000016
【図１５】
2007292810.tif 000017
【図１６】
2007292810.tif 000018
【図１７】
2007292810.tif 000019